(57)【要約】【課題】作業効率を向上させた自走型作業機を提供する。【解決手段】ボンネット２５と運転席３０と、運転席３０への乗降を補助する昇降ステップ３７とを備え、昇降ステップ３７にボンネット２５上の作業を容易にするサブステップ４６を備える。【選択図】図２
2006341667.tif 000002
【特許請求の範囲】
【請求項１】
ボンネットと、運転席と、該運転席への乗降を補助する昇降ステップとを備える自走式作業機において、
前記昇降ステップに前記ボンネット上の作業を容易にするサブステップを備えることを特徴とする、自走式作業機。
【請求項２】
前記サブステップを、前記昇降ステップから水平方向に可動自在に備えることを特徴とする、請求項１に記載の自走式作業機。
【請求項３】
前記サブステップを、前記昇降ステップから水平方向に回動自在に備えることを特徴とする、請求項２に記載の自走式作業機。
【請求項４】
前記サブステップを、前記昇降ステップの上面に対して開閉自在に備えることを特徴とする、請求項１に記載の自走式作業機。
【発明の詳細な説明】
【技術分野】
【０００１】
本発明は、ボンネットと、運転席と、その運転席への乗降を補助する昇降ステップとを備える、例えば、トラクタ,コンバインなどの農作業機、およびバックホー,ブルトーザなどの建設作業機、さらにはフォークリフトなどの搬送作業機など、あらゆる自走式作業機に関する。
【背景技術】
【０００２】
図９に示すように従来のトラクタ（自走式作業機）１は、２つの前輪２と２つの後輪３とを有する４輪で、後輪３の上方には運転席４を内設したキャビン５を備える。このキャビン５内には、運転席４の他にハンドル６、アクセル・ブレーキなどの操作ペダル７などを備える。キャビン５は、屋根９、フロントガラス、リアガラス、運転席４の側面には運転者が出入りするガラス張りのドア１２を備える。一方、キャビン５の外側下方にはキャビン５に乗降するための昇降ステップ８を備える。そして、トラクタ１の前部にあるボンネット１３上に燃料の給油口キャップ１４を備える。
【発明の開示】
【発明が解決しようとする課題】
【０００３】
しかし、このように給油口キャップ１４を作業者の目線ほどの高さにあるボンネット１３上に備えるので、燃料を供給する際に作業者が踏み台などを用いて給油口キャップ１４を開け、給油する必要がある。したがって、踏み台などを別途用意する必要があり、給油時の作業効率を低下させるという問題があった。
そこでこの発明の目的は、作業効率を向上させた自走式作業機を提供することにある。
【課題を解決するための手段】
【０００４】
このため請求項１に記載の発明は、ボンネットと運転席と、該運転席への乗降を補助する昇降ステップとを備える自走式作業機において、
前記昇降ステップにボンネット上の作業を容易にするサブステップを備えることを特徴とする。
【０００５】
請求項２に記載の発明は、請求項１に記載の自走式作業機において、前記サブステップを、前記昇降ステップから水平方向に可動自在に備えることを特徴とする。
【０００６】
請求項３に記載の発明は、請求項２に記載の自走式作業機において、前記サブステップを、前記昇降ステップから水平方向に回動自在に備えることを特徴とする。
【０００７】
請求項４に記載の発明は、請求項１に記載の自走式作業機において、前記サブステップを、前記昇降ステップの上面に対して開閉自在に備えることを特徴とする。
【発明の効果】
【０００８】
請求項１に記載の発明によれば、ボンネットと運転席と、運転席への乗降を補助する昇降ステップとを備える自走式作業機において、昇降ステップにボンネット上の作業を容易にするサブステップを備えるので、ボンネット上で作業をする際に作業者がサブステップを利用して容易に作業を行えるので、踏み台などを持ち出す手間が省ける。したがって作業効率を向上させた自走式作業機を提供することができる。
【０００９】
請求項２に記載の発明によれば、サブステップを、昇降ステップから水平方向に可動自在に備えるので、不使用時にはサブステップを昇降ステップに収納することができ、コンパクトな自走式作業機を提供することができる。
【００１０】
請求項３に記載の発明によれば、サブステップを、昇降ステップから水平方向に回動
自在に備えるので、不使用時にはサブステップを昇降ステップに収納することができ、コンパクトな自走式作業機を提供することができる。
【００１１】
請求項４に記載の発明によれば、サブステップを、昇降ステップの上面に対して開閉
自在に備えるので、不使用時にはサブステップを昇降ステップ上面に重ねて収納することができ、コンパクトな自走式作業機を提供することができる。
【発明を実施するための最良の形態】
【００１２】
以下、図面を参照しつつ、この発明を実施するための最良の形態について詳述する。
本発明の自走式作業機の一例としてのトラクタの側面図を図１に示す。
この例のトラクタ２１は、車体フレーム２２の前後に前輪２３および後輪２４を２つずつ備え、前輪２３の上方にボンネット２５を形成し、その内側には原動機部としてのエンジンを備える。そして、ボンネット２５上には燃料の給油口キャップ２６を備える。さらにボンネット２５の後部に連続してキャビン２７を設ける。
【００１３】
キャビン２７内には、エンジンキー、アクセルペダル,クラッチペダル,ブレーキペダルなどの操作ペダル２８、ハンドル２９、運転席３０などを設ける。キャビン２７の外周はそれぞれフロントガラス３１、リアガラス３２、ドア３３、屋根３４などによって構成される。また、キャビン２７の左前部にはラジオ放送などを受信するアンテナ３５を取り付けるとともに、キャビン２７の両前部には後方確認用のミラー３６を設ける。
【００１４】
キャビン２７の下方には、運転者がキャビン２７に乗降するための昇降ステップ３７を車体フレーム２２に固定して取り付ける。
キャビン２７の後部下方には、フェンダ３８が設けられ、反射板３９がフェンダ３８の後端に取り付けられる。
【００１５】
図２に、昇降ステップ３７の拡大側面図を、図３に図２のＡ矢視正面図を示す。昇降ステップ３７は、金属製の側板４１Ａ，４１Ｂを一定距離隔てて配置し、側板４１Ａ，４１Ｂを連結するように天板４２とステップ４４，４５を上から順に固設する。なお、天板４２は不図示のステーなどを介して車体フレーム２２に固設される。そして、最下段のステップ４５の下面に重ね合わせるようにサブステップ４６を設ける。
【００１６】
図４は図２のＢ矢視平面図である。ステップ４５とサブステップ４６にはそれぞれ図中左上隅に貫通孔４７を設け、貫通孔４７に上からボルト４８を挿入してサブステップ４６の下面側よりナット４９を締め付けることによりステップ４５にサブステップ４６が回動自在に取り付けられる。なお、昇降ステップ３７を構成する部材は全て鋳鉄製とする。また、ステップ４４，４５は、粗いスリットの形成された板で構成され、運転者の靴についた水や泥が下方に落下するようになっている。
【００１７】
ここで、作業者がボンネット２５上の給油口に燃料を供給するには、まずサブステップ４６を図２のＢ矢視平面図である図５（ａ），（ｂ）に示すように、ボルト４８を回動支点として矢印方向に１８０度回動させる。そして、サブステップ４６に昇って給油口キャップ２６を外し、燃料を供給する。給油作業を終了するときは、給油口キャップ２６をボンネット２５上にはめ付けてサブステップ４６より降りる。そしてサブステップ４６を、ボルト４８を回動支点として矢印と反対方向に１８０度回動させステップ４５の真下に収納する。
【００１８】
以上詳述したように、この例のトラクタ２１は、ボンネット２５と運転席３０と、運転席３０への乗降を補助する昇降ステップ３７とを備え、昇降ステップ３７にボンネット２５上の作業を容易にするサブステップ４６を備えるものである。加えて、サブステップ４６を昇降ステップ３７のステップ４５の下面から水平方向に回動自在に備える。
なお、サブステップ４６は、ボンネット２５上の給油口キャップ２６の着脱時に使用することに限定されるものではなく、ボンネット２５上のあらゆる作業に使用できる。また、ボンネット２５上の作業に限定されず、キャビン２７付近の清掃時やキャビン２７のフロントガラスに備えるワイパーの取替時、ミラー３６の位置合わせなどに適宜使用してもよい。
【００１９】
サブステップ４６は、図６（ａ）〜（ｃ）に示すように構成してもよい。図６（ａ）において、昇降ステップ１３７の最下段のステップ４５ａを側板４１Ａ，４１Ｂの幅より右側に突出するように設け、ステップ４５ａの上面４５ａｕにサブステップ５１を重ね合わせるように取り付ける。
【００２０】
図６（ｂ）は図６（ａ）のＣ矢視側面図である。サブステップ５１には、ヒンジ５２が図中左隅に設けられており、ヒンジ５２の下面はステップ４５ａの上面４５ａｕに溶接などで取り付けられている。
【００２１】
そして、サブステップ５１を使用するときは、図６（ｃ）に示すように、ヒンジ５２を回動支点としてサブステップ５１を矢印方向へ１８０度回動させ、ステップ４５ａの上面４５ａｕに当接していたサブステップ５１の下面５３を上にして使用する。サブステップ５１を収納する場合は、矢印方向と逆方向にサブステップ５１を１８０度回動させ、ステップ４５ａの真上に収納する。なお、ヒンジ５２をステップ４５ａの左端より距離Ｗの位置に設けるので、サブステップ５１を開いた状態のときにもステップ４５ａと距離Ｗだけ重なることができ、耐荷重性を向上させることができる。
【００２２】
以上詳述したように、この例のトラクタ２１は、ボンネット２５と運転席３０と、運転席３０への乗降を補助する昇降ステップ３７とを備え、昇降ステップ３７にボンネット２５上の作業を容易にするサブステップ４６を備えるものである。加えて、サブステップ４６を昇降ステップ３７のステップ４５ａの上面４５ａｕに対して開閉自在に備える。
【００２３】
図７（ａ）〜（ｃ）には、ステップのさらに別の例を示す。図７（ａ）において、昇降ステップ２３７の最下段のステップ４５ｂは角筒状であり、ステップ４５ｂ内のスペース６２にサブステップ６３を水平方向にスライド自在に内設する。
【００２４】
図７（ｂ）は図７（ａ）のＤ矢視側面図である。ステップ４５ｂの２つの長側面には長辺方向に沿ってガイド孔６４Ａが設けられている。一方、サブステップ６３の２つの長側面の右端部には、ガイドピン６４Ｂが突設されている。
【００２５】
そして、サブステップ６３を使用するときは、図７（ｃ）に示すように、取手６５をつかみサブステップ６３をガイドピン６４Ｂがガイド孔６４Ａの左端に接触してサブステップ６３が動かなくなるまで矢印方向へスライドさせる。サブステップ６３を収納する場合は、矢印方向と逆方向にサブステップ６３をスライドさせ、ステップ４５ｂ内に収納する。
【００２６】
以上詳述したように、この例のトラクタ２１は、ボンネット２５と運転席３０と、運転席３０への乗降を補助する昇降ステップ３７とを備え、昇降ステップ３７にボンネット２５上の作業を容易にするサブステップ４６を備えるものである。加えて、サブステップ４６を昇降ステップ３７のステップ４５ｂ内から水平方向に可動自在に備える。
【００２７】
また、サブステップを固定式に設置することもできる。図８は、その場合における昇降ステップ３３７付近の正面図を示している。ステップ４５ｃのトラクタ２１の進行方向前方端に側板４１Ａを介してサブステップ７１をトラクタ２１の車幅方向内向きに水平に設ける。加えてサブステップ７１は、車体フレーム２２にステー７２を介してそれぞれ溶接などで取り付けられる。
【００２８】
なお、上述の例では、作業機の一例としてトラクタ（農作業機）について説明したが、この発明はこれに限定されるものではなく、農作業機としてコンバインなど、また、建設作業機として、バックホー,ブルトーザなど、さらには、搬送作業機として、フォークリフトなどボンネットを備えたあらゆる作業機に適用することができる。
【図面の簡単な説明】
【００２９】
【図１】本発明の自走式作業機の一例としてのトラクタを示す側面図である。
【図２】図１に示すトラクタの昇降ステップ付近の拡大側面図である。
【図３】図２の昇降ステップのＡ矢視正面図である。
【図４】図２の昇降ステップのＢ矢視平面図である。
【図５】（ａ），（ｂ）は図４のステップからサブステップを回動したときの図である。
【図６】昇降ステップの別の例を示す（ａ）は正面図であり、（ｂ）は（ａ）のＣ矢視側面図であり、（ｃ）は（ｂ）のサブステップを開いたときの図である。
【図７】昇降ステップのさらに別の例を示す（ａ）は正面図であり、（ｂ）は（ａ）のＤ矢視側面図であり、（ｃ）は（ｂ）のサブステップを引き出したときの図である。
【図８】サブステップの別の例を示す正面図である。
【図９】従来のトラクタの側面図である。
【符号の説明】
【００３０】
２１    トラクタ（自走式作業機）
２２    車体フレーム
２３    前輪
２４    後輪
２５    ボンネット
２６    給油口キャップ
２７    キャビン
２８    操作ペダル
２９    ハンドル
３０    運転席
３１    フロントガラス
３２    リアガラス
３３    ドア
３４    屋根
３５    アンテナ
３６    ミラー
３７，１３７，２３７，３３７    昇降ステップ
３８    フェンダ
３９    反射板
４１Ａ,  ４１Ｂ    側板
４２    天板
４４,  ４５,  ４５ａ,  ４５ｂ,  ４５ｃ    ステップ
４５ａｕ  上面
４６,  ５１， ６３， ７１    サブステップ
４７    貫通孔
４８    ボルト
４９    ナット
５２    ヒンジ
５３    下面
６２    スペース
６４Ａ  ガイド孔
６４Ｂ  ガイドピン
６５    取手
７２    ステー
【図１】
2006341667.tif 000003
【図２】
2006341667.tif 000004
【図３】
2006341667.tif 000005
【図４】
2006341667.tif 000006
【図５】
2006341667.tif 000007
【図６】
2006341667.tif 000008
【図７】
2006341667.tif 000009
【図８】
2006341667.tif 000010
【図９】
2006341667.tif 000011